(57)【要約】      （修正有）【課題】収納部上方側を覆う天板部上面に、テレビまたはディスプレイからなる表示装置を載置可能な載置面を形成することにより、表示装置の支持台として兼用可能な収納家具において、全体の美観を良好に保ち、収納部への物の出し入れの際にも電源コードが邪魔にならない収納家具を提供する。【解決手段】収納部７の上方を覆う天板部３を設け、該天板部３の上面に、テレビまたはディスプレイからなる表示装置を載置可能な平坦な載置面６を形成し、上記表示装置の支持台として兼用可能な収納家具を構成する。さらに、天板部３の上面側に凹部２２に形成し、凹部２２の底側に表示装置用のコンセント２１を設置し、コンセント２１の上方側を覆うように前記凹部２２に嵌合させる嵌合体２３を設け、前記載置面６と、嵌合体２３の上面２３ａとを、両者が平坦な同一面をなすようにフラットに形成する。【選択図】図５
0003164477.tif 000002
【実用新案登録請求の範囲】
【請求項１】
収納部（７）の上方を覆う天板部（３）を設け、該天板部（３）の上面に、テレビまたはディスプレイからなる表示装置（Ｄ）を載置可能な平坦な載置面（６）を形成し、上記表示装置（Ｄ）の支持台として兼用可能な収納家具であって、天板部（３）の上面側に凹部（２２）に形成し、凹部（２２）の底側に表示装置（Ｄ）用のコンセント（２１）を設置し、コンセント（２１）の上方側を覆うように前記凹部（２２）に嵌合させる嵌合体（２３）を設け、前記載置面（６）と、嵌合体（２３）の上面（２３ａ）とを、両者が平坦な同一面をなすようにフラットに形成した収納家具。
【請求項２】
凹部（２２）が段差を有するように、凹部（２２）の底側よりも高い段部（２２ａ）を形成し、該段部（２２ａ）を嵌合体（２３）を受止めて支持するように構成した請求項１に記載の収納家具。
【請求項３】
天板部（３）の上面側から嵌合体（２３）を取外し可能とする取外手段を設けた請求項２に記載の収納家具。
【請求項４】
凹部（２２）の内周面と嵌合体（２３）の外周面との間に隙間（Ｓ）を形成し、該隙間（Ｓ）を介して、段部（２２ａ）と、嵌合体（２３）の外周面とを対向させることにより、取外手段を構成した請求項３に記載の収納家具。
【請求項５】
嵌合体（２３）の下面側と、コンセント（２１）との間に間隔を設けてなる請求項２乃至４の何れかに記載の収納家具。
【請求項６】
天板部（３）を台輪によって構成し、該台輪上に別の収納家具を積上げることができる請求項１乃至６の何れかに記載の収納家具。
【考案の詳細な説明】
【技術分野】
【０００１】
この考案は、テレビまたはディスプレイからなる表示装置の支持台として兼用可能な収納家具に関する。
【背景技術】
【０００２】
収納部の上方を覆う天板部を設け、該天板部の上面に、テレビその他のディスプレイからなる表示装置を載置可能な平坦な載置面を形成し、上記表示装置の支持台として兼用可能な特許文献１に示す収納家具が従来公知である。
【先行技術文献】
【特許文献】
【０００３】
【特許文献１】特開２０００−３３３０９９号公報（第１−２図）
【考案の概要】
【考案が解決しようとする課題】
【０００４】
上記文献の収納家具は、収納家具によって支持台を兼用できるため、汎用性や利便性が高いという利点を有する一方で、表示装置に電力を供給するために、表示装置の電源コードを、屋内等に固定的に設置されたコンセント側まで配線する必要があり、天板部の上方側から垂下がった電源コードが、上述のコンセントまで延びた状態になるため、全体の美観が損なわれる他、電源コードが収納部への物の出し入れの際に邪魔になる場合がある。
【０００５】
本考案は、収納部上方側を覆う天板部上面に、テレビまたはディスプレイからなる表示装置を載置可能な載置面を形成することにより、表示装置の支持台として兼用可能な収納家具において、全体の美観を良好に保ち、収納部への物の出し入れの際にも電源コードが邪魔にならない収納家具を提供することを課題とする。
【課題を解決するための手段】
【０００６】
上記課題を解決するため本考案は、第１に、収納部７の上方を覆う天板部３を設け、該天板部３の上面に、テレビまたはディスプレイからなる表示装置Ｄを載置可能な平坦な載置面６を形成し、上記表示装置Ｄの支持台として兼用可能な収納家具であって、天板部３の上面側に凹部２２に形成し、凹部２２の底側に表示装置Ｄ用のコンセント２１を設置し、コンセント２１の上方側を覆うように前記凹部２２に嵌合させる嵌合体２３を設け、前記載置面６と、嵌合体２３の上面２３ａとを、両者が平坦な同一面をなすようにフラットに形成したことを特徴としている。
【０００７】
第２に、凹部２２が段差を有するように、凹部２２の底側よりも高い段部２２ａを形成し、該段部２２ａを嵌合体２３を受止めて支持するように構成したことを特徴としている。
【０００８】
第３に、天板部３の上面側から嵌合体２３を取外し可能とする取外手段を設けたことを特徴としている。
【０００９】
第４に、凹部２２の内周面と嵌合体２３の外周面との間に隙間Ｓを形成し、該隙間Ｓを介して、段部２２ａと、嵌合体２３の外周面とを対向させることにより、取外手段を構成したことを特徴としている。
【００１０】
第５に、嵌合体２３の下面側と、コンセント２１との間に間隔を設けてなることを特徴としている。
【００１１】
第６に、天板部３を台輪によって構成し、該台輪上に別の収納家具を積上げることができることを特徴としている。
【考案の効果】
【００１２】
上記構成によれば、表示装置を載置する載置面を天板部に形成し、天板部の上面側に形成された凹部の底側に表示装置用のコンセントが設置されるため、表示装置に電源を供給するための配線をコンパクトにできるため、全体の美観が良好に保たれ、収納部への物の出し入れの際にも電源コードが邪魔になることが防止できる。この他、表示装置を載置面上に設置しない場合には、凹部に嵌合させる嵌合体の上面が、載置面とが同一の平坦な面をなすため、凹凸が形成されることが防止され、全体の美観をさらに良好に保持できるとともに、天板部の上面に他の物を置く際に、凹部が邪魔になることが防止できる。
【００１３】
また、凹部が段差を有するように、凹部の底側よりも高い段部を形成し、該段部を嵌合体を受止めて支持するように構成し、嵌合体の下面側と、コンセントとの間に間隔を設ければ、コンセントが嵌合体によって、破損されることが効率的に防止される。
【００１４】
さらに、天板部の上面側から嵌合体を取外し可能とする取外手段を設けるにあたり、凹部の内周面と嵌合体の外周面との間に隙間を形成し、該隙間を介して、段部と、嵌合体の外周面とを対向させることにより、取外手段を構成すれば、段部に嵌合体の外周面が接触するように、嵌合体の上面を下方に押圧することにより、容易に嵌合体を、凹部から取外すことが可能になる。
【００１５】
なお、天板部を台輪によって構成し、該台輪上に別の収納家具を積上げることができるようにすれば、収納家具の汎用性がさらに向上する。
【図面の簡単な説明】
【００１６】
【図１】本発明の収納家具を適用した戸棚を、テレビ支持台として使用した際の全体正面図である。
【図２】図１に示す戸棚から開閉戸及び引出を取外した状態の正面図である。
【図３】図１に示す戸棚の平面図である。
【図４】図１に示す戸棚の側面図である。
【図５】（Ａ）は、コンセントの凹部への設置構成を示す側断面図であり、（Ｂ）は配線孔の側断面図であり、（Ｃ）は、防止部材の構成を示す正面図である。
【図６】戸棚の他の使用例を示す正面図である。
【考案を実施するための形態】
【００１７】
図１は、本発明の収納家具を適用した戸棚を、テレビ支持台として使用した際の全体正面図であり、図２は、図１に示す戸棚から開閉戸及び引出を取外した状態の正面図であり、図３，４は、図１に示す戸棚の平面図及び側面図である。収納家具の一種である木製の戸棚１は、後述の構成によって、テレビその他のディスプレイからなる表示装置（図示する例では薄型の液晶テレビ）Ｄが載置される支持台（さらに具体的にはテレビ台）として兼用可能に構成された支持台兼用戸棚である。
【００１８】
この戸棚１では、平行な状態で向い合うベース板２と天板（天板部）３とを、方形厚板状の台輪によって構成しており、両者が略同一形状を有している。このベース板２の上面の各四隅には上方に延びる角材状の支柱４を突設し、この４本の支柱４の上端面に天板３の下面の四隅をそれぞれ支持している。このようにして、ベース板２の上方側に所定間隔を介して支持固定された天板３の上面側は、上述した液晶テレビＤを載置可能なように、水平且つ平坦に形成された載置面６となる。すなわち、この戸棚１は、上述したように、表示装置Ｄを載置して支持する支持台としても機能する。
【００１９】
天板３とベース板２との間の空間は、収納スペース（収納部）７となり、この収納スペース７の後方側を背面板８によって覆い、左右両側方を側板９によってそれぞれ覆っている。背面板８は、後側の左右の支柱間４，４と、ベース板２後端部と天板３後端部とによって上下左右が囲繞され、嵌め込み状態で取付支持される。一方、左右の側板９，９は、左右一方側の前後の支柱４，４間と、左右他方側の前後支柱４，４間とに、それぞれ取付支持されている。
【００２０】
また、左右一方側の前後の支柱４，４間と、他方側の前後の支柱４，４間とには、前後方向に延びた角材状の補強材１１が、それぞれ架設されている。この補強材１１は、上述した前後の支柱４，４における上端部間と、中途部間と、下端部間とにそれぞれ配設され、その強度を向上させており、この補強材１１の左右内面側に、前述の側板９が近接又は接触状態で配置されている。
【００２１】
上記収納スペース７は、以上により、前方が開放された空間になり、ベース板２及び天板３に対して平行な仕切板１２によって上下に仕切られている。仕切板１２とベース板２との間の空間には、隣接状態で左右並列配置された複数（図示する例では４つ）の小物収納用の引出１３が、出入可能に設置される一方で、仕切板１２と天板３との間の空間である収納室１４は、隔壁１６によって、さらに左側半部のスペース（左側スペース）１４ａと、右側半部のスペース（右側スペース）１４ｂとに隔てられている。
【００２２】
この左右の各スペース１４ａ，１４ｂの上下複数個所には、それぞれ水平な棚板１７を着脱自在に設置可能であり、この棚板１７によって、向かって右側のスペース１４ａ及び左側のスペース１４ｂを、上下複数段の棚として機能させることが可能になる。この収納室１４における後述する配線孔８ａとの直近箇所（棚板１７に隔てられること無く配線孔８と接する箇所）には、通常、動画や静止画等を記憶可能なディスクやテープ等の記憶媒体の記録・再生を行う電子機器Ｒが設置される。
【００２３】
該収納室１４の前方は、一対の木製の開閉戸１８Ａ，１８Ｂによって、開閉自在に閉塞される。開閉戸１８Ａ，１８Ｂは、収納室１４の開口端部側である前端部側において、手前側と奥側にそれぞれ配置された引違戸であって、各開閉戸１８Ａ，１８Ｂの上端部及び下端部が、該開口端部の上下に形成された一対のスライド溝（図示しない）に、それぞれ左右スライド自在に係合されている。
【００２４】
具体的には、収納室１４の開口端部における仕切板１２と対向する側（図示する例では上側）に、左右方向のレール部材１９が設置されており、このレール部材１９及び仕切板１２の互いに対向する側に、上記スライド溝がそれぞれ凹設される。このスライド溝は、収納室１４の左右一方端から他方端に至る範囲に形成される。ちなみに、奥側の開閉戸１８Ｂ用のスライド溝と、手前側の開閉戸１８Ａ用のスライド溝とは、それぞれ各別に成形されている。
【００２５】
このようにして、仕切板１２とレール部材１９との間に係脱自在に係合された一対の開閉戸１８Ａ，１８Ｂの一方又は両方を、互いが最大限ラップするようにスライドさせることにより、収納室１４が開状態となる一方で、一対の開閉戸１８Ａ，１８Ｂの一方又は両方を、互いのラップ範囲が最小になるようにスライド移動させることにより、収納室１４が閉状態になる。ちなみに、各開閉戸１８Ａ，１８Ｂは、格子状に形成されて収納室１４側面にガラス等が設置された戸を用いるが、一枚板よりなる戸を用いてもよく、これによって、戸棚１の外観を変更することが可能である。
【００２６】
また、天板３の上面（載置面６）側における左右一方寄り後部側箇所には、載置面６上に配された液晶テレビＤの電源コードのプラグ（図示しない）を差込んで電気的に接続するコンセント２１が設置されている。具体的な構成は後述するが、簡単に説明すると、下方に窪んだ平面視方形状の凹部２２が天板３上面に形成され、この凹部２２の底面側（底側）にコンセント２１が設置されている。ちなみに、コンセント２１の未使用時には、この凹部２２内に嵌合体である閉塞蓋２３（図５参照）が嵌合され、コンセント２１の上方側が覆われて閉塞された状態になる。
【００２７】
次に、図２，３及び５に基づき、凹部２２及び閉塞蓋２３の構成を詳述する。
図５（Ａ）は、コンセントの凹部への設置構成を示す側断面図であり、（Ｂ）は配線孔の側断面図であり、（Ｃ）は、防止部材の構成を示す正面図である。凹部２２の底面からは、コンセント２１を嵌合収容して固定する設置孔２４が下方に向かって穿設されており、この設置孔２４は天板３を貫通して収納スペース７内に至っている。コンセント２１は、配線類等を収容するボックス状の収容体２６と、この収容体２６の上面側に取付固定されたコンセントプレート２７とから構成されている。
【００２８】
収容体２４の周囲が設置孔２４内に嵌合されるように、設置孔２４の内周面の平面形状は、収容体２６の平断面形状と略同一に成形されている。一方、コンセントプレート２７は、収容体２６の平断面形状をさらに拡大させて平面積を大きくした形状を有し、このコンセントプレート２７の上面側は、電源コードのプラグを差込んで接続する一対の差込口が一又は複数組（図示する例では２組）形成された接続面２７ａになる。
【００２９】
収容体２６を設置孔２４に嵌入すると、コンセントプレート２７下面が凹部２２の底面と当接して係止されるので、それ以上の挿入ができない状態で、コンセント２１が設置孔２４に嵌合固定され、コンセントプレート２７の接続面２７ａが凹部２２の底側に位置した状態になる。さらに、コンセント２１からの配線コード２８が、設置孔２４を通って、収納スペース７内に導入される。
【００３０】
収納スペース７に導入された配線コード２８は、背面板８に穿設された配線孔８ａを介して、背面板８の後方側に導出される。このようにして、後方に導出された配線コード２８の導出端側（先端側）のプラグ２９を、家屋内に設置された屋内コンセント（図示しない）に差込んで接続することにより、液晶テレビＤへの電力供給が可能になる。ちなみにこの配線孔８ａには、収納スペース７内への埃等の異物の侵入を防止する合成樹脂製の防止部材３１が設けられている。
【００３１】
続いて、閉塞蓋２３によって凹部２２内の上方側を閉塞する構成を説明すると、凹部２２の対向する一対の端部（図示する例では一対の長辺部）は、それぞれ段差を有して載置面６よりも一段低い（言換えると、底面よりも一段高い）水平な段部２２ａを形成している一方で、閉塞蓋２３は、凹部２２の開放端側（上端側）の平面形状と略同一の平面形状を有することにより、凹部２２の開放端側の内周面に嵌り込むように構成されている。
【００３２】
この閉塞蓋２３を凹部２２に挿入すると、閉塞蓋２３の下面が凹部２２の一対の段部２２ａに面状に当接して受止められるとともに、閉塞蓋２３の周囲が凹部２２内周面の開放端側に囲繞されることにより、閉塞蓋２３が凹部２２内の開放端側に位置決めされ、コンセント２１の上方側をカバーし、凹部２２を閉塞した状態になる。この状態において、閉塞蓋２３の上面２３ａと、上述した載置面６とがフラット且つ水平な同一面を形成するように、閉塞蓋２３の上下の厚みが設定されている。この他、この閉塞状態では、閉塞蓋２３の下面と、コンセント２１の接続面２７ａとの間に所定の空間が形成される。
【００３３】
また、天板３の上面側から、凹部２２に嵌め込まれた閉塞蓋２３を取外す取外手段が、この戸棚１には設けられている。具体的には、閉塞蓋２３の外周面と、凹部２２の内周面との間の隙間Ｓが下方に向かって徐々に拡大するように、閉塞蓋２３の周囲の長さが下方に向かって次第短くなるテーパ状に閉塞蓋２２の外周面を形成することにより、閉塞蓋２２の外周面の少なくとも一部と、段部２２ａとを直接的に対向させる。
【００３４】
このようにして、閉塞蓋２２の外周面と、段部２２ａとは、隙間Ｓを挟んで向い合うが、この状態から、閉塞蓋２３の外周面における傾斜したテーパ面２３ｂが段部２２ａ側に接するように、閉塞蓋２３上面の端部を下方に押圧すると、閉塞蓋２３の押圧側と反対側の端部が、上方側に跳ね上がり、この跳ね上がった端部を把持して持上げる等によって、凹部２２から閉塞蓋２３を容易に取外すことが可能になる。なお、閉塞蓋２３の外周面の跳上り側箇所と、凹部２２の内周面との間には、常時のクリアランスＣが形成可能なように、閉塞蓋２３のサイズ及び形状は設定され、このクリアランスＣによって、上記跳ね上がりが許容される。
【００３５】
以上により、取外手段を構成することにより、閉塞蓋２３の上面側に把持部等を設ける必要がなく、閉塞蓋２３の上面２３ａの全体を凹凸無くフラットに形成することが可能になる。ちなみに、図示する例において、さらに具体的には、閉塞蓋２３の段部２２ａ側の一対の側面を、下方に向かって互いに近づくように傾斜させることにより、テーパ面２３ｂを形成している。この一対のテーパ面２３ｂは、閉塞蓋２３の外周面の一部を構成し、このテーパ面２３ｂによって、閉塞蓋２３の方形状の平断面における短辺の長さが、下方に変位するに従って次第に短くなるため、閉塞蓋２３の周囲の長さが下方に向って徐々に短くなるテーパ状に成形されている。
【００３６】
続いて、上述の防止部材３１について説明すると、この弾力性のある合成樹脂によって構成される防止部材３１は、配線孔８ａに嵌め込まれて固定される円筒状に形成され、その両端には、配線孔８ａよりも径が大きい外径を有する円形リング状のフランジ部３２がそれぞれ一体的に延設される。この一対のフランジ部３２，３２の間に背面板８が位置し、抜出しが防止された状態で、防止部材３１の中途部が配線孔８ａに嵌合状態で挿通され、防止部材３１が背面板８に取付けられる。この取付時には、防止部材３１の内周側の空間を介して、収納スペース７が背面板８の後方側と連通される。
【００３７】
この連通させる空間を通過して収納スペース７内に異物が侵入することを防止するため、各フランジ部３２の内周側からは、この空間を塞ぐように自身の中心側に向かって弾性変形可能な複数の扇状の閉塞片３２ａが一体的に延出されている。そして、この複数の閉塞片３２ｂは、その弾性変形によって、配線孔８ａへの配線コード２８や電源コード等の挿通を許容し、この挿通時においても配線孔８ａが必要以上に開口することを規制している。
【００３８】
なお、この防止部材３１によって、コードが挿通可能なように塞がれた配線孔８ａには、電子機器Ｒから液晶テレビＤの配線用の配線コードや、電子機器Ｒからの電源コード等も挿通される。
【００３９】
次に、図６に基づき、戸棚１，１´の他の使用例を説明する。
図６は、戸棚の他の使用例を示す正面図である。同図に示す通り、戸棚１，１´の天板３は、台輪によって構成されているため、その載置面６に他の収納家具を積上げて支持することが可能になる。図示する例では、戸棚１´の上に、これと略同一構成の戸棚１を載置している。ちなみに、上側の戸棚１は、上述の構成のまったく同一であり、下側の戸棚１´は、仕切板１２の上側の空間に複数（図示する例では３つの）引出１３を、設け、仕切板１２の下側に収納室１４を形成している。このような配置変更によって、両方の戸棚１，１´の引出１３を、上下で接近させることが可能になる。
【符号の説明】
【００４０】
３  天板（天板部）
６  載置面
７  収納スペース（収納部）
２１  コンセント
２２  凹部
２２ａ  段部
２３  閉塞蓋（嵌合体）
２３ａ  上面
Ｄ  液晶テレビ（表示装置，テレビ、ディスプレイ）
Ｓ  隙間
【図１】
0003164477.tif 000003
【図２】
0003164477.tif 000004
【図３】
0003164477.tif 000005
【図４】
0003164477.tif 000006
【図５】
0003164477.tif 000007
【図６】
0003164477.tif 000008